(57)【要約】      （修正有）【課題】複数のタッチポイントの電圧値を同時に測定することができる電気抵抗式タッチパネルを提供する。【解決手段】その下面には、タッチパネルモジュール２１１が設けられ、タッチパネルモジュールには、それぞれ独立した導電セクション２１１１が複数設けられ、各導電セクションが感応ワイヤ２１１２を含む第１パネル２１と、タッチパネルモジュールに対応するバイアス層モジュールを有し、バイアス層モジュールは、少なくとも四つのバイアスポイントを有し、第１方向と第２方向とにバイアスをそれぞれ形成する第２パネル２２と、第１パネルの複数の感応ワイヤとそれぞれ電気的に連接することにより、これらの導電セクションの電圧値を測定する電圧測定モジュール２３と、を備える。【選択図】図２
0003157713.tif 000002
【実用新案登録請求の範囲】
【請求項１】
その下面には、タッチパネルモジュールが設けられ、前記タッチパネルモジュールには、それぞれ独立した導電セクションが複数設けられ、前記各導電セクションが感応ワイヤを含む第１パネルと、
前記タッチパネルモジュールに対応するバイアス層モジュールを有し、前記バイアス層モジュールは、少なくとも四つのバイアスポイントを有し、第１方向と第２方向とにバイアスをそれぞれ形成する第２パネルと、
前記第１パネルの複数の前記感応ワイヤとそれぞれ電気的に連接することにより、これらの前記導電セクションの電圧値を測定する電圧測定モジュールと、
を備えることを特徴とする電気抵抗式タッチパネル。
【請求項２】
前記バイアス層モジュールは、平面を呈する電気抵抗であることを特徴とする、請求項１に記載の電気抵抗式タッチパネル。
【請求項３】
前記第２パネルのこれらの前記バイアスポイントは、それぞれ前記バイアス層モジュールのエッジに設けられることを特徴とする、請求項１または２に記載の電気抵抗式タッチパネル。
【請求項４】
これらの前記バイアスポイントは、それぞれ前記バイアス層モジュールのエッジのコーナーに設けられることを特徴とする、請求項１から３の何れか１項に記載の電気抵抗式タッチパネル。
【請求項５】
前記第１方向と前記第２方向は互いに直交することを特徴とする、請求項１から４の何れか１項に記載の電気抵抗式タッチパネル。
【請求項６】
更に、制御モジュールを含み、前記制御モジュールが前記第２パネルのこれらの前記バイアスポイントと電気的に連接することにより、これらの前記バイアスポイントにバイアス電圧をそれぞれ供給し、且つ前記制御モジュールは、前記電圧測定モジュールと電気的に連接し、前記電圧測定モジュールによって測定されたこれらの前記導電セクションの電圧値により、少なくとも一つのタッチポイントの位置を判定することを特徴とする、請求項１から５の何れか１項に記載の電気抵抗式タッチパネル。
【請求項７】
これらの前記導電セクションは、一つの感応マトリクスによって配設されることを特徴とする、請求項１から６の何れか１項に記載の電気抵抗式タッチパネル。
【考案の詳細な説明】
【技術分野】
【０００１】
本考案は、タッチパネルに関し、特に、電気抵抗式タッチパネルに関するものである。
【背景技術】
【０００２】
科学技術の進展により、ＰＤＡ（Personal Digital Assistant）、携帯電話、ノートブック式パーソナルコンピュータなどのタッチパネルを有する電子製品がどんどん多くなる。市販しているタッチパネルは、数種類に大別することができるが、電気抵抗式タッチパネルが代表性を有する。
【０００３】
電気抵抗式タッチパネルの原理は、指や任意のものがタッチパネルの表面に接触するときに、タッチパネルの内部の導電層に電圧降下が発生し、そうすると、タッチパネルの接触された位置を特定することができる。図１を参照する。図１は従来の電気抵抗式タッチパネル１００の部品を示す模式図である。電気抵抗式タッチパネル１００は、第１シート１１と、第２シート１２と、制御測定モジュール１３と、を含む。
【０００４】
前記第１シート１１の下面には、第１方向Ｓ１に沿う両側にバイアスワイヤ１１１が２本設けられ、２本の前記バイアスワイヤ１１１は、それぞれリード１１２を介して前記制御測定モジュール１３と電気的に連接する。前記第２シート１２の上面には、第２方向Ｓ２に沿う両側にバイアスワイヤ１２１が２本設けられ、２本の前記バイアスワイヤ１２１は、それぞれリード１２２を介して前記制御測定モジュール１３と電気的に連接する。
【０００５】
従来の電気抵抗式タッチパネル１００が稼動しているときには、前記制御測定モジュール１３が前記バイアスワイヤ１１１と前記バイアスワイヤ１２１とにバイアス電圧を交代に供給する。前記タッチパネル１００の前記第１シート１１のＰ１位置が外力を受けるときには、前記第１シート１１が変形して前記第２シート１２のＰ２位置を接触する。
【０００６】
前記制御測定モジュール１３がバイアスワイヤ１１１にバイアス電圧を供給しているときには、前記リード１２２により前記制御測定モジュール１３が位置電圧信号を接収して、電気抵抗分圧方式によりタッチポイントの前記第１方向Ｓ１における位置を判断する。前記制御測定モジュール１３がバイアスワイヤ１２１にバイアス電圧を供給しているときには、前記リード１１２により前記制御測定モジュール１３が電圧降下を接収して、電気抵抗分圧方式によりタッチポイントの前記第２方向Ｓ２における位置を判断する。すなわち、タッチポイントの前記第１方向Ｓ１における位置と前記第２方向Ｓ２における位置とを知ることにより、タッチポイントの位置の座標を知ることができる。
【考案の概要】
【考案が解決しようとする課題】
【０００７】
しかしながら、従来の電気抵抗式タッチパネル１００の前記第１シート１１には、リード１１２が一組だけあり、前記第２シート１２には、リード１２２も一組だけある。外力が前記電気抵抗式タッチパネル１００に加えるときには、前記第１シート１１にタッチポイントＰ１が発生し、前記第２シート１２にタッチポイントＰ２が発生する。このとき、別の外力が前記電気抵抗式タッチパネル１００に加えるときには、前記第１シート１１にタッチポイントＰ３が発生し、前記第２シート１２にタッチポイントＰ４が発生するが、前記リード１１２と前記リード１２２とは、タッチポイントＰ３、Ｐ４の位置での電圧降下を同時に伝送することができない。このように、従来の電気抵抗式タッチパネル１００によれば、複数のタッチポイントを同時に判断することができない欠点があった。
【０００８】
本考案の主な目的は、複数のタッチポイントの電圧値を同時に測定することができる電気抵抗式タッチパネルを提供することにある。
【課題を解決するための手段】
【０００９】
本考案の請求項１に記載の電気抵抗式タッチパネルによると、その下面には、タッチパネルモジュールが設けられ、前記タッチパネルモジュールには、それぞれ独立した導電セクションが複数設けられ、前記各導電セクションが感応ワイヤを含む第１パネルと、
前記タッチパネルモジュールに対応するバイアス層モジュールを有し、前記バイアス層モジュールは、少なくとも四つのバイアスポイントを有し、第１方向と第２方向とにバイアスをそれぞれ形成する第２パネルと、
前記第１パネルの複数の前記感応ワイヤとそれぞれ電気的に連接することにより、これらの前記導電セクションの電圧値を測定する電圧測定モジュールと、
を備えることを特徴とする電気抵抗式タッチパネルである。
【００１０】
本考案の請求項２に記載の電気抵抗式タッチパネルによると、前記バイアス層モジュールは、平面を呈する電気抵抗である。
【００１１】
本考案の請求項３に記載の電気抵抗式タッチパネルによると、前記第２パネルのこれらの前記バイアスポイントは、それぞれ前記バイアス層モジュールのエッジに設けられる。
【００１２】
本考案の請求項４に記載の電気抵抗式タッチパネルによると、これらの前記バイアスポイントは、それぞれ前記バイアス層モジュールのエッジのコーナーに設けられる。
【００１３】
本考案の請求項５に記載の電気抵抗式タッチパネルによると、前記第１方向と前記第２方向は互いに直交する。
【００１４】
本考案の請求項６に記載の電気抵抗式タッチパネルによると、更に、制御モジュールを含み、前記制御モジュールが前記第２パネルのこれらの前記バイアスポイントと電気的に連接することにより、これらの前記バイアスポイントにバイアス電圧をそれぞれ供給し、且つ前記制御モジュールは、前記電圧測定モジュールと電気的に連接し、前記電圧測定モジュールによって測定されたこれらの前記導電セクションの電圧値により、少なくとも一つのタッチポイントの位置を判定する。
【００１５】
本考案の請求項７に記載の電気抵抗式タッチパネルによると、これらの前記導電セクションは、一つの感応マトリクスによって配設される。
【考案の効果】
【００１６】
本考案の電気抵抗式タッチパネルによれば、複数のタッチポイントの電圧値を同時に測定することができるという効果を有する。
【図面の簡単な説明】
【００１７】
【図１】従来の電気抵抗式タッチパネルの部品を示す模式図である。
【図２】本考案の第１実施例の電気抵抗式タッチパネルの部品を示す模式図である。
【図３】本考案の第２実施例の電気抵抗式タッチパネルの部品を示す模式図である。
【考案を実施するための形態】
【００１８】
以下、本考案の実施の形態を図面に基づいて説明する。
（第１実施例）
図２を参照する。図２は本考案の第１実施例の電気抵抗式タッチパネル２００の部品を示す模式図である。前記電気抵抗式タッチパネル２００は、第１パネル２１と、第２パネル２２と、電圧測定モジュール２３と、を含む。
【００１９】
前記第１パネル２１は、その下面には、タッチパネルモジュール２１１が設けられ、前記タッチパネルモジュール２１１には、それぞれ独立した導電セクション２１１１が複数設けられ、前記各導電セクション２１１１が一本の感応ワイヤ２１１２を含む。前記第１シート２１は、ポリエチレン・テレフタレート（polyethylene terephthalate；PET）製のもの、又はガラス製のものである。前記タッチパネルモジュール２１１は、インジウムスズ酸化物（Indium Tin Oxide；ITO）で塗布されたものであり、又はアンチモニースズ酸化物（Antimony Doped Tin Oxide；ATO）で塗布されたものである。前記導電セクション２１１は、一つの感応マトリクスによって配設され、この感応マトリクスは、方形陣形でもいいし、矩形陣形でもよい。
【００２０】
前記第２パネル２２は、前記タッチパネルモジュール２１１に対応するバイアス層モジュール２２１を有する。前記第２パネル２２は、ポリエチレン・テレフタレート（polyethylene terephthalate；PET）製のもの、又はガラス製のものである。前記バイアス層モジュール２２１は、インジウムスズ酸化物（Indium Tin Oxide；ITO）で塗布されたものであり、又はアンチモニースズ酸化物（Antimony Doped Tin Oxide；ATO）で塗布されたものである。前記バイアス層モジュール２２１は、平面を呈する電気抵抗である。前記バイアス層モジュール２２１のバイアスポイント２２１１は、それぞれ前記バイアス層モジュール２２１のエッジに設けられる。本実施例では、前記第１方向Ｓ１と前記第２方向Ｓ２が互いに直交する。
【００２１】
前記電圧測定モジュール２３は、前記第１パネル２１の感応ワイヤ２１１２と電気的に連接することにより、前記導電セクション２１１１の電圧値を測定する。前記電気抵抗式タッチパネル２００は、更に、制御モジュール２４を含み、前記制御モジュール２４が前記第２パネル２２の前記バイアスポイント２２１１と電気的に連接することにより、前記バイアスポイント２２１１にバイアス電圧をそれぞれ供給する。且つ前記制御モジュール２４は、前記電圧測定モジュール２３と電気的に連接し、前記電圧測定モジュール２３によって測定された前記導電セクション２１１１の電圧値により、少なくとも一つのタッチポイントの位置を判定する。
【００２２】
本実施例の前記電気抵抗式タッチパネル２００が稼動しているときには、前記制御モジュール２４がバイアスポイント２２１１にバイアス電圧を交代に供給する。これにより、前記バイアス層モジュール２２１の第１方向Ｓ１と第２方向とにバイアスが交代に発生する。ユーザが前記電気抵抗式タッチパネル２００の二つの箇所にタッチすると、前記第１パネル２１には、タッチポイントＰ５とタッチポイントＰ７とが発生し、前記第１パネル２１の変形により、前記第２パネル２２には、タッチポイントＰ６とタッチポイントＰ８とが発生する。このとき、タッチポイントＰ５とタッチポイントＰ７との対応する導電セクション２１１１が電圧を有し、前記電圧測定モジュール２３は、感応ワイヤ２１１２を介してこれらの電圧を接収して、測定された電圧値を前記制御モジュール２４に伝送して、前記制御モジュール２４は、分圧原理により、これらの電圧値とバイアス方向とバイアス電圧となどの情報から、前記タッチパネルＰ５と前記タッチパネルＰ７との位置の座標を判断することができる。
【００２３】
第２実施例）
図３を参照する。図３は本考案の第２実施例の電気抵抗式タッチパネル２００´の部品を示す模式図である。本実施例の第１実施例と相違する点は、ユーザのタッチ頻度のより少ない箇所では、より大面積の導電セクション２１１１´が使用され、これにより、感応ワイヤ２１１２の数量を減少することができ、生産コストを減少することもできる。
【００２４】
すなわち、本考案の前記第１パネル２１の下面には、複数の互いに独立する導電セクション２１１１、２１１１´を有するタッチパネルモジュール２１１が設けられ、前記各導電セクション２１１１、２１１１´には、一本の感応ワイヤ２１１２がそれぞれ電気的に連接する。前記バイアス層モジュール２２１がタッチされるときに、前記電圧測定モジュール２３によりその電圧を測定されて、前記制御モジュール２４によりタッチされる箇所の座標を判断することができる。このように、本考案の電気抵抗式タッチパネル２００、２００´は、一つ以上のタッチポイントを同時に特定することができる。
【００２５】
このように、本考案が、特定の例を参照して説明されたが、それらの例は、説明のためだけのものであり、本考案を限定するものではなく、この分野に通常の知識を有する者には、本考案の精神および範囲を逸脱することなく、ここで開示された実施例に変更、追加、または、削除を施してもよいことがわかる。
【符号の説明】
【００２６】
１１：第１シート、１３：制御測定モジュール、２１：第１パネル、２２：第２パネル、２３：電圧測定モジュール、１００：電気抵抗式タッチパネル、１１１：バイアスワイヤ、１１２：リード、２００，２００´：電気抵抗式タッチパネル、２１１：タッチパネルモジュール、２２１：バイアス層モジュール、２１１１，２１１１´：導電セクション、２１１２：感応ワイヤ、２２１１：バイアスポイント、Ｐ１，Ｐ２，Ｐ３，Ｐ４：タッチポイント、Ｐ５，Ｐ６，Ｐ７，Ｐ８：タッチポイント、Ｓ１：第１方向、Ｓ２：第２方向。
【産業上の利用可能性】
【００２７】
本考案は、タッチパネルに適用することができる。
【図１】
0003157713.tif 000003
【図２】
0003157713.tif 000004
【図３】
0003157713.tif 000005